(57)【特許請求の範囲】
【請求項１】
複数のパネルを組み合わせて形成され、本体の外郭を構成する筐体を備えた、空気調和機の室外機であって、
前記筐体は、複数のパネルの一部として、
前面側の角部に配置された断面形状がＬ字の前面側コーナーパネルと、
前記前面側コーナーパネルと同一の形状を成し、背面側の角部に配置された断面形状がＬ字の背面側コーナーパネルと、を有し、
前記前面側コーナーパネル及び前記背面側コーナーパネルのうち一方に、前記筐体の内部と外部とを連通させる貫通孔を形成するための貫通孔形成部が設けられており、
前記前面側コーナーパネルと前記背面側コーナーパネルは、相互に取り替えて使用できる構成である、空気調和機の室外機。
【請求項２】
前記前面側コーナーパネル及び前記背面側コーナーパネルは、屈曲したＬ字の一方の壁部と他方の壁部とが同一形状とされ、
前記貫通孔形成部は、一方の壁部に形成されている、請求項１に記載の空気調和機の室外機。
【請求項３】
前記貫通孔形成部は、前記筐体の内側へ凹ませた段差部によって形成されている、請求項１又は２に記載の空気調和機の室外機。
【請求項４】
前記貫通孔形成部は、前記貫通孔を模った切り欠き溝によって形成されている、請求項１又は２に記載の空気調和機の室外機。
【請求項５】
前記貫通孔形成部は、前記貫通孔を模った複数のスリット孔によって形成されている、請求項１又は２に記載の空気調和機の室外機。
【発明の詳細な説明】
【技術分野】
【０００１】
本発明は、空気調和機の室外機に関するものである。
【背景技術】
【０００２】
従来、空気調和機の室外機は、例えば特許文献１に開示されているように、外郭を形成する筐体に、内部と外部とを連通させる貫通孔を形成するための貫通孔形成部が複数箇所に設けられている。貫通孔は、延長配管又は電気配線等を挿入するために形成される。貫通孔形成部は、貫通孔を模った切り欠き状に形成され、室外機の据え付け時に容易に切り取ることができるように工夫されている。室外機は、設置する場所によって延長配管又は電気配線等を挿入する箇所が異なるため、設置する場所に応じて選択した一の貫通孔形成部が切り取られて貫通孔が形成される。
【先行技術文献】
【特許文献】
【０００３】
【特許文献１】特開２００２−３１０４５９号公報
【発明の概要】
【発明が解決しようとする課題】
【０００４】
特許文献１にも開示されているように、貫通孔形成部は、設置する場所に対応するため、筐体の複数箇所に設けている。しかし、延長配管又は電気配線等を挿入するための貫通孔は、一箇所しか必要とされない。そのため、機能的に必要でない貫通孔形成部は、そのままの状態で残されている。その結果、筐体を板金からなる複数のパネルを組み合わせて形成した場合、切り欠き状の部分から錆び等の腐食が起こって劣化し、板金の強度が低下する虞がある。【０００５】
本発明は、上記のような課題を解決するためになされたもので、貫通孔形成部を複数設けることよるパネルの劣化を防止できると共に、貫通孔形成部が１つであっても設置する場所に応じて多方向から延長配管又は電気配線等を挿入するための貫通孔を形成することができる、空気調和機の室外機を提供することを目的とする。
【課題を解決するための手段】
【０００６】
本発明に係る空気調和機の室外機は、複数のパネルを組み合わせて形成され、本体の外郭を構成する筐体を備えた、空気調和機の室外機であって、前記筐体は、複数のパネルの一部として、前面側の角部に配置された断面形状がＬ字の前面側コーナーパネルと、前記前面側コーナーパネルと同一の形状を成し、背面側の角部に配置された断面形状がＬ字の背面側コーナーパネルと、を有し、前記前面側コーナーパネル及び前記背面側コーナーパネルのうち一方に、前記筐体の内部と外部とを連通させる貫通孔を形成するための貫通孔形成部が設けられており、前記前面側コーナーパネルと前記背面側コーナーパネルは、相互に取り替えて使用できるものである。
【発明の効果】
【０００７】
本発明に係る空気調和機に室外機は、前面側コーナーパネルと背面側コーナーパネルとが同一形状であり、前面側コーナーパネル及び背面側コーナーパネルのうち一方に、筐体の内部と外部とを連通させる貫通孔を形成するための貫通孔形成部が設けられ、設置場所に応じて相互に取り替えて使用する構成である。よって、この空気調和機に室外機は、機能的に必要としない貫通孔形成部を設ける必要がなくなり、貫通孔形成部を複数設けることによるパネルの腐食を防止できる。また、設置する場所に応じて多方向から延長配管又は電気配線等を挿入するための貫通孔を形成することができる。
【図面の簡単な説明】
【０００８】
【図１】本発明の実施の形態に係る空気調和機の室外機の前面側を模式的に示した斜視図である。
【図２】本発明の実施の形態に係る空気調和機の室外機の背面側を模式的に示した斜視図である。
【図３】本発明の実施の形態に係る空気調和機の室外機の前面側コーナーパネルを模式的に示した斜視図である。
【図４】本発明の実施の形態に係る空気調和機の室外機の使用例を模式的に示した斜視図である。
【図５】本発明の実施の形態に係る空気調和機の室外機の使用例を模式的に示した斜視図である。
【図６】本発明の実施の形態に係る空気調和機の室外機の使用例を模式的に示した斜視図である。
【図７】本発明の実施の形態に係る空気調和機の室外機の貫通孔形成部の一例を模式的に示した前面側コーナーパネルの断面図である。
【図８】本発明の実施の形態に係る空気調和機の室外機の貫通孔形成部の一例を模式的に示した前面側コーナーパネルの断面図である。
【図９】本発明の実施の形態に係る空気調和機の室外機の貫通孔形成部の一例を模式的に示した前面側コーナーパネルの断面図である。
【図１０】本発明の実施の形態に係る空気調和機の室外機の貫通孔形成部の一例を模式的に示した前面側コーナーパネルの正面図である。
【図１１】本発明の実施の形態に係る空気調和機の室外機の貫通孔の一例を模式的に示した前面側コーナーパネルの斜視図である。
【図１２】本発明の実施の形態に係る空気調和機の室外機の貫通孔の一例を模式的に示した前面側コーナーパネルの斜視図である。
【図１３】本発明の実施の形態に係る空気調和機の室外機の貫通孔の一例を模式的に示した前面側コーナーパネルの斜視図である。
【図１４】本発明の実施の形態に係る空気調和機の室外機の貫通孔の一例を模式的に示した前面側コーナーパネルの斜視図である。
【図１５】本発明の実施の形態に係る空気調和機の室外機の貫通孔の一例を模式的に示した前面側コーナーパネルの斜視図である。
【図１６】本発明の実施の形態に係る空気調和機の室外機の貫通孔の一例を模式的に示した前面側コーナーパネルの斜視図である。
【発明を実施するための形態】
【０００９】
実施の形態．
以下、図面を参照して、本発明の実施の形態について説明する。なお、各図中、同一または相当する部分には、同一符号を付して、その説明を適宜省略または簡略化する。また、各図に記載の構成について、その形状、大きさ、及び配置等は、本発明の範囲内で適宜変更することができる。
【００１０】
図１は、本発明の実施の形態に係る空気調和機の室外機の前面側を模式的に示した斜視図である。図２は、本発明の実施の形態に係る空気調和機の室外機の背面側を模式的に示した斜視図である。図３は、本発明の実施の形態に係る空気調和機の室外機の前面側コーナーパネルを模式的に示した斜視図である。
【００１１】
本実施の形態の空気調和機の室外機１００は、図１及び図２に示すように、複数のパネルを組み合わせて矩形状に形成された筐体１０を備えている。筐体１０は、空気調和機の室外機１００の外郭を形成するものである。
【００１２】
詳細に図示することは省略したが、筐体１０の内部には、一例として、冷媒を圧縮する圧縮機と、冷媒の流れを切り替える四方弁と、暖房運転時には蒸発器として機能し、冷房運転時には凝縮器（放熱器）として機能する室外熱交換器１８と、冷媒の圧力を減圧する流量制御装置（減圧器）と、室外熱交換器１８に風を送る室外送風モータ及び室外ファンと、が収容されている。
【００１３】
筐体１０を構成する複数のパネルは、前面左側パネル１、前面右側パネル２、左側面パネル３、背面パネル４、天面パネル５及び底面パネル（図示省略）である。図１及び図２では、隣接するパネルの境界線を破線で示している。筐体１０を構成する各パネルは、例えば金属製の板材で構成されている。
【００１４】
前面左側パネル１は、図１に示すように、平板状を成し、筐体１０の前面部の一部を構成するものである。前面左側パネル１には、吹出口６として、上下にそれぞれ略円形の開口が形成されている。なお、図示することは省略したが、前面左側パネル１には、吹出口６を覆う格子状のファンガードが取り付けられる。
【００１５】
前面右側パネル２は、図１及び図２に示すように、断面形状が略Ｌ字状に形成され、筐体１０の前面部の一部及び右側面部の一部を構成するものである。前面右側パネル２の下方には、前面右側パネル２の一部として、断面形状が略Ｌ字状に形成された前面側コーナーパネル７が着脱自在に設けられている。前面側コーナーパネル７は、図１及び図３に示すように、Ｌ字状の一方の壁部７０と他方の壁部７１とが同一形状である。そして、前面側コーナーパネル７の一方の壁部７０には、筐体１０の内部と外部とを連通させる貫通孔を形成するための貫通孔形成部９が設けられている。
【００１６】
貫通孔形成部９は、室外機１００を据え付ける際に、延長配管又は電気配線等を挿入する貫通孔１１を形成するために切り取られる。図１及び図３に示す実施の形態では、左右に並列させた２つの円形状の貫通孔１１Ａを形成するための貫通孔形成部９と、馬蹄形の貫通孔１１Ｂを形成するための貫通孔形成部９とを設けた構成を示している。この貫通孔形成部９を有する空気調和機の室外機１００では、大きさ及び形状の異なる配管毎に貫通孔１１Ａ及び１１Ｂを使い分けることができるので、使い勝手に優れている。
【００１７】
左側面パネル３は、図２に示すように、平板状から成り、筐体１０の左側面部を構成するものである。
【００１８】
背面パネル４は、図１及び図２に示すように、断面形状が略Ｌ字状に形成され、筐体１０の背面部の一部及び右側面部の一部を構成するものである。つまり、筐体１０の右側面部は、前面右側パネル２と背面パネル４とで構成されている。背面パネル４の下方には、背面パネル４の一部として、断面形状が略Ｌ字状に形成された背面側コーナーパネル８が着脱自在に設けられている。この背面側コーナーパネル８は、前面側コーナーパネル７と同一の形状である。つまり、背面側コーナーパネル８は、前面側コーナーパネル７と同様に、Ｌ字状の一方の壁部８０と他方の壁部８１とが同一形状とされている。
【００１９】
天面パネル５は、図１及び図２に示すように、筐体１０の天面部を構成するものである。天面パネル５が組み立てられると、前面左側パネル１、前面右側パネル２、左側面パネル３、背面パネル４の上端部が覆われる。
【００２０】
次に、本実施の形態に係る空気調和機の室外機１００の使用例を図１、図４〜図６に基づいて説明する。図４〜図６は、本発明の実施の形態に係る空気調和機の室外機の使用例を模式的に示した斜視図である。空気調和機の室外機１００は、設置する場所によって延長配管又は電気配線等を挿入する箇所が異なる。筐体１０の前面側から延長配管又は電気配線等と挿入する必要がある場合には、図１に示すように、貫通孔形成部９が前面側に位置するように前面側コーナーパネル７を前面右側パネル２の下方に取り付ける。
【００２１】
筐体１０の前面側における右側面部から延長配管又は電気配線等を挿入する必要がある場合には、図１に示す状態にある前面側コーナーパネル７を筐体１０から取り外し、図４に示すように、前面側コーナーパネル７を反転させて、前面右側パネル２の下方に取り付ける。
【００２２】
筐体１０の背面側における右側面部から延長配管又は電気配線等を挿入する必要がある場合には、図１及び図２に示す状態にある前面側コーナーパネル７及び背面側コーナーパネル８を筐体１０から取り外し、図５に示すように、前面側コーナーパネル７を水平方向に９０度回転させた後、前面側コーナーパネル７と背面側コーナーパネル８とを相互に取り替えて、それぞれ筐体１０に取り付ける。
【００２３】
筐体１０の背面側から延長配管又は電気配線等を挿入する必要がある場合には、図１及び図２に示す状態にある前面側コーナーパネル７及び背面側コーナーパネル８を筐体１０から取り外し、図６に示すように、前面側コーナーパネル７を反転させた後、前面側コーナーパネル７と背面側コーナーパネル８とを相互に取り替えて、それぞれ筐体１０に取り付ける。
【００２４】
次に、図７〜図１０に基づいて貫通孔形成部９の構成を説明する。図７〜図９は、本発明の実施の形態に係る空気調和機の室外機の貫通孔形成部の一例を模式的に示した前面側コーナーパネルの断面図である。図１０は、本発明の実施の形態に係る空気調和機の室外機の貫通孔形成部の一例を模式的に示した前面側コーナーパネルの正面図である。
【００２５】
図７に示した貫通孔形成部９は、筐体１０の内側へ凹ませた段差部９０によって形成されている。貫通孔形成部９の外周縁と、貫通孔１１の開口縁となる部分との接合部９１の厚さは、前面側コーナーパネル７の板厚よりも薄く形成されている。そのため、貫通孔形成部９は、ニッパー等の切削工具を使用し、薄厚の接合部９１に沿って容易に切り取ることができる。よって、貫通孔形成部９を取り除いて貫通孔１１を形成する作業が容易となり、室外機１００の据え付け作業の施工性を向上させることができる。
【００２６】
図８に示した貫通孔形成部９も、筐体１０の内側へ凹ませた段差部９２によって形成されている。貫通孔形成部９の外周縁と、貫通孔１１の開口縁となる部分との接合部９３の厚さは、前面側コーナーパネル７の板厚と同程度である。接合部９３の厚さをある程度確保することで、パネルの強度を高めることができる。よって、この貫通孔形成部９を備えた室外機１００は、例えば倉庫等で長期間保存した場合でもあっても腐食による強度の低下を抑制することができる。
【００２７】
図９に示した貫通孔形成部９は、貫通孔１１を模った切り欠き溝９４によって形成されている。この貫通孔形成部９は、ニッパー等の切削工具を使用し、切り欠き溝９４に沿って容易に切り取ることができる。よって、貫通孔形成部９を切り取って貫通孔１１を形成する作業が容易となるから、室外機１００を据え付ける作業の施工性を向上させることができる。
【００２８】
図１０に示した貫通孔形成部９は、貫通孔１１を模った複数のスリット孔９５によって形成されている。スリット孔９５は、間隔をあけて複数形成されている。この貫通孔形成部９は、ニッパー等の切削工具を使用し、隣接するスリット孔９５間の連結部９６を切り取ることで、容易に取り除くことができる。よって、貫通孔形成部９を取り除いて貫通孔１１を形成する作業が容易となるから、室外機１００を据え付ける作業の施工性を向上させることができる。
【００２９】
なお、上記の貫通孔形成部９は、例えば型加工又は後加工など、様々な加工方法で形成することができる。型加工とは、段差部９０又は切り欠き溝９４などを形成するような金型を使用して、前面側コーナーパネル７を製造するものである。一方、後加工とは、前面側コーナーパネル７を製造した後に、段差部９０又は切り欠き溝９４などの加工を行うものである。
【００３０】
次に、図１１〜図１６に基づいて貫通孔の形状のバリエーションについて説明する。図１１〜図１６は、本発明の実施の形態に係る空気調和機の室外機の貫通孔の一例を模式的に示した前面側コーナーパネルの斜視図である。なお、図示した実施の形態では、前面側コーナーパネル７に貫通孔形成部９を設けた場合を例に説明するが、背面側コーナーパネル８に貫通孔形成部９を設けてもよい。また、図１１〜図１６に基づいて説明する貫通孔形成部９は、上記した図７〜図１０に示す貫通孔形成部９のいずれかで構成するものである。
【００３１】
図１１は、前面側コーナーパネル７の一方の壁部７０に、馬蹄形の貫通孔１２を形成するための貫通孔形成部９を設けた構成を示している。図１１に示す貫通孔形成部９は、弦となる部分が、前面側コーナーパネル７の下縁と一致するように設けられている。ニッパー等の切削工具の刃の入り口を設けることで、貫通孔形成部９の切り取り作業を容易にするためである。但し、弦となる部分は、前面側コーナーパネル７の上縁となるように形成してもよい。なお、貫通孔形成部９を壁部７０の面内に大きく形成することで、貫通孔１２を形成した後、延長配管の配管カバー又は電気配線の配線カバーの施工がしやすくなる。
【００３２】
図１２も、前面側コーナーパネル７の一方の壁部７０に、馬蹄形の貫通孔１３を形成するための貫通孔形成部９を設けた構成を示している。図１２に示す貫通孔形成部９は、弦となる部分が、前面側コーナーパネル７の側縁と一致するように設けられている。ニッパー等の切削工具の刃の入り口を設けることで、貫通孔形成部９の切り取り作業を容易にするためである。また、貫通孔形成部９は、形成した貫通孔１３の開口縁が底面パネルに及ばないように設けられている。地面を伝う雨水等が筐体１０の内部に進入することを防止して、筐体１０内に配置した圧縮機等の機器へ水が掛かる不具合を抑制し、当該機器の腐食防止の効果を高めるためである。なお、貫通孔形成部９を壁部７０の面内に大きく形成することで、貫通孔１３を形成した後、延長配管の配管カバー又は電気配線の配線カバーの施工がしやすくなる。
【００３３】
図１３は、前面側コーナーパネル７の一方の壁部７０に、円形状の貫通孔１４を形成するための貫通孔形成部９を設けた構成を示している。なお、当該貫通孔形成部９は、楕円形状の貫通孔を形成する構成でもよい。図１４は、前面側コーナーパネル７の一方の壁部７０に四角形状の貫通孔１５を形成するための貫通孔形成部９を設けた構成を示している。なお、四角形状の貫通孔１５の角部にはＲ加工が施されている。これらの貫通孔形成部９も、形成した貫通孔１４又は１５の開口縁が底面パネルに及ばないように設けられている。なお、貫通孔形成部９を壁部７０の面内に大きく形成することで、貫通孔１４又は１５を形成した後、延長配管の配管カバー又は電気配線の配線カバーの施工がしやすくなる。
【００３４】
図１５は、前面側コーナーパネル７の一方の壁部７０に、左右に並列させた２つの円形状の貫通孔１６を形成するための貫通孔形成部９を設けた構成を示している。図１６は、前面側コーナーパネル７の一方の壁部７０に、上下に並列させた四角形状の貫通孔１７を形成するための貫通孔形成部９を設けた構成を示している。これらの貫通孔形成部９も、形成した貫通孔１６又は１７の開口縁が底面パネルに及ばないように設けられている。また、これらの貫通孔形成部９は、挿入する延長配管又は電気配線の外径に合わせた孔径の貫通孔１６又は１７となるように設けることで開口面積を減らすことができる。つまり、貫通孔１６又は１７を有する室外機１００は、筐体１０の内部に配置した圧縮機等の機器に触れる空気の量を抑えることができるので、当該機器の腐食防止の効果を高めることができる。
【００３５】
なお、図１１〜図１６に基づいて説明した貫通孔の構成は一例であって、これに限定されない。例えば、図１４に示した四角形状の貫通孔１５は、三角形又は五角形以上の多角形としてもよい。また、図１１〜図１６に基づいて説明した貫通孔を、それぞれ組み合わせてもよい。要するに、貫通孔は、室外機１００の設置場所に応じて、大きさ及び形状を適宜変更して設けるものとする。
【００３６】
本実施の形態に係る空気調和機の室外機１００は、複数のパネルを組み合わせて形成され、本体の外郭を構成する筐体１０を備えている。筐体１０は、複数のパネルの一部として、前面側の角部に配置された断面形状がＬ字の前面側コーナーパネル７と、前面側コーナーパネル７と同一の形状を成し、背面側の角部に配置された断面形状がＬ字の背面側コーナーパネル８と、を有している。前面側コーナーパネル７及び背面側コーナーパネル８のうち一方に、筐体１０の内部と外部とを連通させる貫通孔１１を形成するための貫通孔形成部９が設けられている。前面側コーナーパネル７と背面側コーナーパネル８は、相互に取り替えて使用できる構成である。よって、空気調和機の室外機１００は、機能的に必要としない貫通孔形成部を設ける必要がなくなり、貫通孔形成部を複数設けることによるパネルの腐食を防止できる。また、空気調和機の室外機１００は、前面側コーナーパネル７と背面側コーナーパネル８とを相互に取り替えることにより、設置する場所に応じて多方向から延長配管又は電気配線等を挿入するための貫通孔１１を形成することができるので、使い勝手に優れている。
【００３７】
また、空気調和機の室外機１００は、機能的に必要としない貫通孔形成部９を設ける必要がなくなるため、加工の手間が軽減されて製造費用を削減できるし、貫通孔形成部９のないフラットでシンプルない外観を呈することができ、意匠性も高まる。
【００３８】
また、前面側コーナーパネル７及び背面側コーナーパネル８は、屈曲したＬ字の一方の壁部７０と他方の壁部７１とが同一形状である。そして、貫通孔形成部９は、一方の壁部７０に形成されている。したがって、空気調和機の室外機１００は、前面側コーナーパネル７を筐体１０から取り外し、前面側コーナーパネル７を回転させた後、筐体１０の同じ箇所に取り付けることで、例えば貫通孔１１の位置を筐体１０の前面側から側面側に変更することができる。よって、空気調和機の室外機１００は、設置する場所に応じて多方向から延長配管又は電気配線等を挿入するための貫通孔１１を形成することができる。
【００３９】
また、貫通孔形成部９は、筐体１０の内側へ凹ませた段差部９０又は９２によって形成されている。つまり、貫通孔形成部９の外周縁と、貫通孔１１の開口縁となる部分との接合部９１の厚さを、前面側コーナーパネル７の板厚よりも薄く形成することにより、薄厚の接合部９１に沿って貫通孔形成部９を容易に切り取ることができる。よって、空気調和機の室外機１００は、貫通孔１１を形成する作業が容易となるから、据え付け作業の施工性を向上させることができる。
【００４０】
一方、貫通孔形成部９の外周縁と、貫通孔１１の開口縁となる部分との接合部９１の厚さを、前面側コーナーパネル７の板厚と同程度の幅寸とすることにより、パネルの強度を高めることができる。よって、空気調和機の室外機１００は、例えば倉庫等で長期間保存した場合であっても腐食による強度の低下を抑制することができる。
【００４１】
また、貫通孔形成部９は、貫通孔１１を模った切り欠き溝９４によって形成することもできる。つまり、貫通孔形成部９は、切り欠き溝９４に沿って容易に切り取ることができる。よって、空気調和機の室外機１００は、貫通孔１１を形成する作業が容易となり、据え付け作業の施工性を向上させることができる。
【００４２】
また、貫通孔形成部９は、貫通孔１１を模った複数のスリット孔９５によって形成することもできる。つまり、貫通孔形成部９は、隣接するスリット孔９５間の連結部９６を切り取ることで、容易に取り除くことができる。よって、空気調和機の室外機１００は、貫通孔１１を形成する作業が容易となるから、据え付け作業の施工性を向上させることができる。
【００４３】
以上に本発明を実施の形態に基づいて説明したが、本発明は上述した実施の形態の構成に限定されるものではない。例えば、筐体１０は、上記した複数枚のパネルの構成に限定されない。また、前面側コーナーパネル７及び背面側コーナーパネル８は、屈曲したＬ字の一方の壁部７０と他方の壁部７１とを同一形状とした構成を示したが、一方の壁部７０と他方の壁部７１とが異なる形状であってもよい。要するに、いわゆる当業者が必要に応じてなす種々なる変更、応用、利用の範囲をも本発明の要旨（技術的範囲）に含むことを念のため申し添える。
【符号の説明】
【００４４】
１  前面左側パネル、２  前面右側パネル、３  左側面パネル、４  背面パネル、５  天面パネル、６  吹出口、７  前面側コーナーパネル、８  背面側コーナーパネル、９  貫通孔形成部、１０  筐体、１１、１１Ａ、１１Ｂ  貫通孔、１２〜１７  貫通孔、１８  室外熱交換器、７０、７１  壁部、８０、８１  壁部、９０  段差部、９１  接合部、９２  段差部、９３  接合部、９４  切り欠き溝、９５  スリット孔、９６  連結部、１００  室外機。
【図１】
0006793833.tif 000002
【図２】
0006793833.tif 000003
【図３】
0006793833.tif 000004
【図４】
0006793833.tif 000005
【図５】
0006793833.tif 000006
【図６】
0006793833.tif 000007
【図７】
0006793833.tif 000008
【図８】
0006793833.tif 000009
【図９】
0006793833.tif 000010
【図１０】
0006793833.tif 000011
【図１１】
0006793833.tif 000012
【図１２】
0006793833.tif 000013
【図１３】
0006793833.tif 000014
【図１４】
0006793833.tif 000015
【図１５】
0006793833.tif 000016
【図１６】
0006793833.tif 000017